(57)【要約】      （修正有）【課題】当て部を花粉や塵埃などが付着しにくい構造にして、これらを吸引することによって引き起こされるアレルギー性疾患の諸症状を効果的に抑制するとともに、精神的な安定も図ることができる肌に優しいマスクを提供する。【解決手段】着用者の鼻と口とを覆う当て部２の両側端に耳掛け用の紐３が取り付けられ、当て部に、着用時に表側となる面（表面２ｃ）の表面層に絹布を用い、且つ、植物から抽出した芳香性を有する精油を含浸させた芳香シート５を収納する。【選択図】図１
0003114108.tif 000002
【実用新案登録請求の範囲】
【請求項１】
着用者の鼻と口とを覆う当て部の両側端に耳掛け用の紐が取り付けられているマスクであって、
前記当て部は、着用時に表側となる面の表面層に絹布が用いられており、且つ、内部に植物から抽出した芳香性を有する精油を含浸させた芳香シートが収納されていることを特徴とするマスク。
【請求項２】
前記当て部が、着用時に裏側となる面の表面層にも絹布が用いられていることを特徴とする請求項１記載のマスク。
【請求項３】
前記当て部の上端部に、縁部に沿って細長い芯材が設けられていることを特徴とする請求項１または２記載のマスク。
【請求項４】
前記精油が抗アレルギー作用を有していることを特徴とする請求項１〜３のいずれかに記載のマスク。
【請求項５】
前記芳香シートが前記当て部に出し入れ可能になっていることを特徴とする請求項１〜４のいずれかに記載のマスク。
【考案の詳細な説明】
【技術分野】
【０００１】
本考案は、空気中の塵埃や花粉などの吸引を防止するため、鼻と口とを当て部で覆うようにして着用するマスクに関するもので、主にアレルギー性疾患の諸症状を抑えるためのマスクに関する。
【背景技術】
【０００２】
アレルギー症状を改善するためのマスクとしては従来種々のものが提案されており、例えば、次のようなものがある。このマスクは、着用者の鼻と口とを覆うための当て部（衛生マスク本体）の両側端に耳掛け用のゴム紐をそれぞれ取り付けたもので、当て部の裏面、つまり、着用の際に着用者の顔面と接する方の面に、アレルギー症状の改善効果があると言われているプロポリスの抽出液を含浸させた布をガーゼで包み形成したシートが取り付けられている。このマスクを着用すれば、呼吸の際にシートから揮散したプロポリスの抽出液の成分を吸引し、花粉症の改善を図ることができるとするものである。
【特許文献１】特開平５−７６５９７号公報（第１、２頁および図１）
【考案の開示】
【考案が解決しようとする課題】
【０００３】
しかしながら、上記のマスクは当て部がガーゼで形成されているため塵埃や花粉などを防ぎきれず、アレルギー症状を緩和こそすれ、十分な抑制効果を発揮しない場合も多い。したがって、マスクを着用していても精神的に不安定になり、憂鬱感やイライラ感を感じることがある。一方、マスクは顔に着用するものであるため、清潔な状態を保つことができ、且つ、肌にも良いものが好まれる。
【０００４】
そこで本考案は、当て部を花粉や塵埃などが付着しにくい構造にして、これらを吸引することによって引き起こされるアレルギー性疾患の諸症状を効果的に抑制するとともに、精神的な安定も図ることができる肌に優しいマスクを提供することを目的としている。
【課題を解決するための手段】
【０００５】
上記の課題を解決するために、請求項１記載のマスクは、着用者の鼻と口とを覆う当て部の両側端に耳掛け用の紐が取り付けられているマスクであって、前記当て部は、着用時に表側となる面の表面層に絹布を用い、且つ、内部に植物から抽出した芳香性を有する精油を含浸させた芳香シートを収納することを特徴としている。
【０００６】
請求項１のマスクによれば、前記表面層に帯電しにくい絹布を用いることによって、前記当て部に花粉や塵埃などが付着しにくくなり、これらの吸引量を減らすことができるため、くしゃみ、鼻水、鼻づまり等のアレルギー性疾患の諸症状を抑えることができる。また、前記当て部に前記芳香シートを収納しておくと、この芳香シートに含浸させている芳香性の植物性精油の香りによって、アレルギー症状による憂鬱感やイライラ感を抑えることができる。
【０００７】
また、絹の紫外線吸収機能と抗酸化作用とによりシミ・ソバカス・くすみ・黒ずみなどを防ぐこともでき、絹の抗菌作用によって前記当て部における雑菌の繁殖を抑えることができる。
【０００８】
なお、絹布を用いるのは前記表面層だけに限らず、例えば、前記当て部全体を絹布で形成することもできる。
【０００９】
請求項２記載のマスクは、当て部の着用時に裏側となる面の表面層にも絹布を用いることを特徴としている。こうすれば、肌触りの良い絹布が前記着用者の肌に触れることになるので着用感が良くなる。また、絹の抗酸化作用によって皮膚の活性酸素の発生を抑え、シミ・ソバカス・くすみ・黒ずみなどを防ぐこともできる。
【００１０】
請求項３記載のマスクは、当て部の上端部に、縁部に沿って細長い芯材を設けることを特徴としている。こうすれば、前記芯材を設けることで前記当て部が型崩れしにくくなるため、使いはじめの着用感を維持することができる。
【００１１】
請求項４記載のマスクは、精油に抗アレルギー作用を有しているものを用いることを特徴している。こうすれば、前記請求項１記載のマスクの作用と相まってアレルギー症状を抑えることができる。前記精油としては、例えば、ユーカリ、カモミール、ローズウッド、バラなどから抽出したオイルを用いることができる。
【００１２】
請求項５記載のマスクは、芳香シートを前記当て部に出し入れ可能にすることを特徴としている。こうすれば、芳香シートに含浸させた精油が揮散して効果がなくなれば、前記当て部から取り出してオイルを補充し使用できるようになる。
【考案の効果】
【００１３】
本考案のマスクを着用すると、花粉やハウスダストなどの塵埃の吸引量を減らすことができるため、くしゃみ・鼻水・鼻づまり等のアレルギー性疾患、例えば、花粉症などの諸症状を抑制することができ、且つ、精油の芳香により精神が安定しアレルギー症状による憂鬱感やイライラ感もなくなる。さらに、絹の持つ紫外線防止機能や抗酸化作用により皮膚に生じる活性酸素を抑え、シミ・ソバカス・くすみ・黒ずみなどを防止することができ、絹の抗菌作用により当て部を清潔な状態に保つことができる。
【００１４】
また、着用者と接する面の表面層に絹布を用いると着用感が向上し、当て部の上縁部に芯材を設けると長期間にわたり快適に着用することができる。それから、精油に抗アレルギー性のものを用いると、絹布の作用と相まってアレルギー性疾患の諸症状に対し高い効果を示すようになる。
【考案を実施するための最良の形態】
【００１５】
本考案にかかるマスクの実施形態について、図１〜２を参照しつつ説明する。
図１（ａ）はマスクを当て部の裏面側から見た斜視図であり、図１（ｂ）はマスクの縦断面図を示し、図２は芳香シートの構造を示すための説明図である。
【００１６】
図１に示すように、マスク１は、当て部２とその両側端部にそれぞれ設けられている耳掛け用の紐３・３とからなっている。
【００１７】
当て部２は、やや横長の長方形状に形成された同一形状の二枚の絹布を重ね、両側端部と下端部とを縫製することによって上端が開口したポケット状に形成したものである。両側端部は着用者の顔に接する方の面２ａ（裏面２ａ）に折り返した状態で縫製されており、筒型の耳掛け紐用の紐通し２ｂ・２ｂが設けられている。
【００１８】
上端部には縁部に沿って細長い芯材４が設けられている。この芯材４は、マスク着用時に表側に面する表面２ｃの絹布の上端部を折り返して筒状に縫製した部分に収納されており、芯材４はプラスチック製の細長い薄板状のもので、弱い力でも容易に変形可能な弾性を備えたものが用いられている。
【００１９】
また、当て部２の内部には芳香シート５が出し入れ可能に収納されている。この芳香シート５は、矩形状のガーゼ５ａを９枚重ねにしその間にラベンダーのエッセンシャルオイルを含浸させた化粧用コットン５ｂを挟み込んで周囲を縫製することによって一体に形成したものである。芳香シート５は、エッセンシャルオイルが揮散してなくなれば、当て部２から取り出しオイルを補充することができるようになっている。
【００２０】
このように形成されている当て部２は、各紐通し２ｂ・２ｂにそれぞれ環状のゴム紐の一部が通されて耳掛け用の紐５・５が設けられている。
【００２１】
こうして形成されたマスク１を、当て部２の裏面２ａを顔に接するようにして着用すると、空気中に浮遊している花粉やハウスダストなどが当て部２に付着しにくいため、これらを吸引する量が減少し、くしゃみ、鼻水、鼻づまり等のアレルギー症状を抑えることができる。
【００２２】
また、芳香シート５に含浸させているラベンダーオイルの成分を呼吸する際に吸引することで神経が鎮まり、穏やかでリラックスした気分になる。
【００２３】
このラベンダーオイルには神経を鎮める作用の他に、免疫力を高めて感染症を予防する作用があるため風邪などの予防にも効果を発揮し、また、抗菌作用を有しているので当て部を清潔に保つことができる。
【００２４】
さらに、裏面２ａの絹布によって当て部２の肌触りが良く快適に着用することができる、しかも、芯材によって当て部２が型崩れしないため、このような快適な着け心地が維持される。
【００２５】
また、芳香シート５に抗アレルギー性を有するユーカリ、カモミール、ローズウッド、バラなどから抽出したエッセンシャルオイルを含浸させると、絹布の作用と相まってアレルギー症状の抑制に高い効果を発揮する。この芳香シート５には、１種類のエッセンシャルオイルだけを含浸させるのではなくて、効能等を組み合わせることによって複数種類のオイルを含浸させても良い。
【００２６】
なお、本実形態のマスクの当て部は絹布を二枚重ねにして形成しているが、二枚以上を重ねて形成しても良いし、表側の面だけに絹布を用いその他を別の素材のものとしても良い。また、芯材はプラスチック製以外に金属製のものを用いることもできるし、ある程度自在に変形させることができる可撓性を有するものを用いることもできる。そして、使い捨てのマスクとして使用する場合には、当て部の上端部を縫製し芳香シートを密封しても良い。
【図面の簡単な説明】
【００２７】
【図１】本考案にかかるマスクの実施形態を示し、（ａ）は当て部の裏面側から見た斜視図であり、（ｂ）は縦断面図を示している。
【図２】図１に示すマスクに収納している芳香シートの構造を示す説明図である。
【符号の説明】
【００２８】
１    マスク
２    当て部
２ａ  裏面
２ｂ  紐通し
２ｃ  表面
３    耳掛け用の紐
４    芯材
５    芳香シート
５ａ  ガーゼ
５ｂ  化粧用コットン
【図１】
0003114108.tif 000003
【図２】
0003114108.tif 000004